(57)【要約】【課題】運用コストの低下を図りつつも、ガス種の切り替わりをより精度良く判定することが可能なパージ判定装置及びその制御方法を提供する。【解決手段】パージ判定装置１は、ガスメータのガス流出口側に接続される流路１０と、流路１０に対して超音波信号を送受信する超音波センサ２０と、超音波センサ２０によって超音波信号が送信されてから受信されるまでの伝搬時間を計測する計測部５１と、計測部５１によって計測される伝搬時間に基づいてガス種の切り替わりを判定する判定部５２を備えている。判定部５２は、計測部５１によって計測された最大の伝搬時間と最小の伝搬時間との差分がパージ判定値を超えたことに基づいて、ガス種の切り替わりを判定する。【選択図】図２
2020063932.tif 000002
【特許請求の範囲】
【請求項１】
ガスメータのガス流出口側に接続される流路と、前記流路に対して超音波信号を送受信する超音波センサと、前記超音波センサによって超音波信号が送信されてから受信されるまでの伝搬時間を計測する計測手段と、前記計測手段によって計測される伝搬時間に基づいてガス種の切り替わりを判定する判定手段を備えたパージ判定装置であって、
前記判定手段は、前記計測手段によって計測された最大の伝搬時間と最小の伝搬時間との差分がパージ判定値を超えたことに基づいて、ガス種の切り替わりを判定する
ことを特徴とするパージ判定装置。
【請求項２】
前記超音波センサによって受信された超音波信号を所定の強さまで増幅する増幅手段と、
前記流路内の圧力を検出する圧力検出手段と、をさらに備え、
前記判定手段は、前記計測手段による計測開始後に、前記増幅手段における増幅度が所定増幅度以上であり、且つ、前記圧力検出手段により検出された圧力が所定圧力以上である状態が検出されたことに基づいて、ガス種の切り替わりを判定する
ことを特徴とする請求項１に記載のパージ判定装置。
【請求項３】
ガスメータのガス流出口側に接続される流路と、前記流路に対して超音波信号を送受信する超音波センサとを備え、前記超音波センサによって超音波信号が送信されてから受信されるまでの伝搬時間を計測する計測工程と、前記計測工程において計測される伝搬時間の変化に基づいてパージ完了を判定する判定工程を有したパージ判定装置の制御方法であって、
前記判定工程では、前記計測工程において計測された最大の伝搬時間と最小の伝搬時間との差分がパージ判定値を超えたことに基づいて、ガス種の切り替わりであると判定する
ことを特徴とするパージ判定装置の制御方法。
【発明の詳細な説明】
【技術分野】
【０００１】
本発明は、パージ判定装置及びその制御方法に関する。
【背景技術】
【０００２】
従来、ガスメータの交換時におけるパージ作業において、ガスメータの下流側配管に設けられたガス放出口にガス回収容器を接続しメータ内の空気を回収する工法が提案されている（例えば特許文献１参照）。さらにガス放出口とガス回収容器との間に半導体式センサを有するガス濃度計を接続し、ガス濃度計が示すガス濃度に基づいて最小限のパージ量でガス回収容器を効率良く使用する工法も提案されている（例えば特許文献２参照）。
【先行技術文献】
【特許文献】
【０００３】
【特許文献１】特開２０１１−２０２９２６号公報
【特許文献２】特開２０１７−１０６８８２号公報
【発明の概要】
【発明が解決しようとする課題】
【０００４】
上記２つの工法によりガスメータ交換時のパージ作業は安全で効率良く行うことが可能である。しかし、半導体式センサは１年毎にメンテナンスが必須であり毎年交換しなければならない。そこで、半導体式センサに代えて超音波センサを使用したガス濃度計が検討されている。超音波センサであれば例えば１０年間メンテナンス無しで運用が可能となるため、運用コストを大幅に下げることが可能となるからである。
【０００５】
しかし、高温時における空気と低温時における燃料ガス（具体的には１３Ａガス）については、超音波信号の伝搬時間が大凡同じになる傾向がある。このため、超音波センサを搭載した濃度計（パージ判定装置）によって伝搬時間を測定してガス種の切り替わりを判定しようとしても、正確に判定できない可能性があった。
【０００６】
本発明はこのような従来の課題を解決するためになされたものであり、その目的とするところは、運用コストの低下を図りつつも、ガス種の切り替わりをより精度良く判定することが可能なパージ判定装置及びその制御方法を提供することにある。
【課題を解決するための手段】
【０００７】
本発明は、ガスメータのガス流出口側に接続される流路と、流路に対して超音波信号を送受信する超音波センサとを備えたものであって、超音波センサによって超音波信号が送信されてから受信されるまでの伝搬時間に基づいてガス種の切り替わりを判定する。この場合において、本発明は、計測された最大の伝搬時間と最小の伝搬時間との差分がパージ判定値を超えたことに基づいて、ガス種の切り替わりを判定する。
【発明の効果】
【０００８】
本発明によれば、運用コストの低下を図りつつも、ガス種の切り替わりをより精度良く判定することが可能なパージ判定装置及びその制御方法を提供することができる。
【図面の簡単な説明】
【０００９】
【図１】本発明の実施形態に係るパージ判定装置を含むパージシステムの構成図である。
【図２】図１に示したパージ判定装置の詳細を示すブロック図である。
【図３】第１の手法を説明するための概念図である。
【図４】第２の手法を説明するための概念図である。
【図５】本実施形態に係るパージ判定装置の制御方法を示すフローチャートである。
【発明を実施するための形態】
【００１０】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００１１】
図１は、本発明の実施形態に係るパージ判定装置を含むパージシステムの構成図である。図１に示すように、本実施形態に係るパージシステム１００は、ガス流入口ＧＭ１とガス流出口ＧＭ２とを備えるガスメータＧＭのガス流出口ＧＭ２側に接続されて、ガスメータＧＭにおけるエアパージを判定するためのものであって、パージ判定装置１と、ガス回収容器２とを備えている。
【００１２】
パージ判定装置１は、ガスメータＧＭの交換時において浸入する空気がガスメータＧＭ内からパージされたか否かを判定するための装置である。ガス回収容器２は、パージ判定の際に流出する燃料ガスを回収するための容器である。このガス回収容器２は、例えば内部が真空とされており、真空引き込みを利用して燃料ガス（更には空気）を回収するものである。
【００１３】
図２は、図１に示したパージ判定装置１の詳細を示すブロック図である。パージ判定装置１は、流路１０、２つの超音波センサ２０、送信回路３０、受信回路４０、及び、マイクロコンピュータ（以下、μＣＯＭ）５０を備えている。
【００１４】
流路１０は、入口側がガスメータＧＭのガス流出口ＧＭ２側に接続され、出口側がガス回収容器２に接続されるものである。
【００１５】
２つの超音波センサ２０は、流路１０に対して超音波信号を送受信するものであって、例えば圧電式振動子によって構成されている。このような超音波センサ２０は、流路１０の長手方向に所定距離だけ離され、且つ、ガス流方向Ｙに対して所定角度をなすように配置された、いわゆるＶパス方式のセンサとなっている。なお、超音波センサ２０はＶパスに限らず、いわゆるＺパス方式のものであってもよい。
【００１６】
また、２つの超音波センサ２０は、送信回路３０及び受信回路４０に接続されている。送信回路３０は、μＣＯＭ５０の制御の下で、２つの超音波センサ２０の一方を駆動して超音波信号を発信させるものである。
【００１７】
受信回路４０は、２つの超音波センサ２０の他方にて受信された超音波信号を所定の強さまで増幅する増幅器（増幅手段）４１を内蔵している。この増幅器４１の増幅度は、μＣＯＭ５０によって調整される。
【００１８】
このようなパージ判定装置１においては、送信回路３０が２つの超音波センサ２０の一方を駆動して超音波信号を送信させる。送信された超音波信号は他方の超音波センサ２０によって受信され、受信回路４０内の増幅器４１によって所定の強さまで増幅される。さらに、パージ判定装置１は、上記の超音波信号の送信をタイミングを異ならせることにより上流側の超音波センサ２０と下流側の超音波センサ２０との双方から行うようになっている。
【００１９】
μＣＯＭ５０は、パージ判定装置１の全体を制御するものであり、計測部（計測手段）５１と、判定部（判定手段）５２と、圧力検出部（圧力検出手段）５３とを備えている。
【００２０】
計測部５１は、超音波センサ２０によって超音波信号が送信されてから受信されるまでの伝搬時間を計測するものである。なお、伝搬時間は流路１０を流れる気体の流速によって変化する。また、後述するように、本実施形態に係るパージ判定装置１はガス種の切り替わりを判定するものであることから、流速による伝搬時間への影響をキャンセルすることが好ましい。よって、本実施形態において計測部５１は、上流側からの超音波信号の伝搬時間と、下流側からの超音波信号の伝搬時間との平均値を採用することが好ましい。
【００２１】
さらに、可能であれば別途流速センサを設け、上流側からの超音波信号の伝搬時間、又は、下流側からの超音波信号の伝搬時間のいずれか一方に対して、流速センサが示す流速分を調整し、調整後の時間を採用するようにしてもよい。加えて、パージ判定装置１やガス回収容器２の構造上、流路１０に一定流量の気体を流すようにできる場合には、一定流量に応じた調整を行うようにしてもよい。
【００２２】
判定部５２は、計測部５１によって計測される伝搬時間に基づいてガス種の切り替わりを判定するものである。超音波信号の伝搬時間は、ガス種によって異なる傾向がある。このため、判定部５２は、伝搬時間に基づいてガス種の切り替わりを判定することとなる。さらに、判定部５２は、ガス種の切り替わりに基づいて、ガスメータＧＭのエアパージが完了したかについても判定することとなる。
【００２３】
圧力センサ６０は、流路１０に面して設けられ、流路１０内の気体圧力に応じた信号を出力するものである。圧力検出部５３は、圧力センサ６０からの信号に基づいて流路１０内の気体圧力を検出するものである。
【００２４】
ここで、高温時における空気と低温時における燃料ガス（具体的には１３Ａガス）については、超音波信号の伝搬時間が大凡同じになる傾向がある。具体的に説明すると、空気の６５℃の音速（伝搬時間はセンサ間距離を音速で割った値）は３６８ｍ／ｓであり、−３０℃の音速は３１２ｍ／ｓである。これに対して、１３Ａガスの６５℃の音速は４３４ｍ／ｓであり、−３０℃の音速は３６８ｍ／ｓである。よって、６５℃の空気と−３０℃の１３Ａガスの音速はほぼ同じとなってしまう。このため、伝搬時間を測定してガス種の切り替わりを判定しようとしても、正確に判定できない可能性があった。
【００２５】
そこで、本実施形態に係るパージ判定装置１は、以下の２つの手法によって、ガス種の切り替わりを判定するようになっている。
【００２６】
まず、第１の手法について説明する。第１の手法においては伝搬時間に基づいてガス種の切り替わりを判定する。図３は、第１の手法を説明するための概念図である。まず、同じ温度環境においてパージ判定装置１の流路１０内に、１３Ａガスと空気とが、一定流速で１３Ａガス、空気、及び１３Ａガスの順に流れたとする。
【００２７】
まず、時刻０〜ｔ３１においては流路１０内に１３Ａガスが流れている。このとき、伝搬時間は凡そ時間Ａとなる。次に、時刻ｔ３１において流路１０内に空気が流入し始める。これにより、流路１０内は混ガス状態となり、伝搬時間は時間Ａから時間Ｂに変化していく。そして、時刻ｔ３３になると流路１０内には空気のみが流れる状態となり、伝搬時間は時間Ｂ付近で安定する。
【００２８】
次に、時刻ｔ３４において流路１０内に再度１３Ａガスが流入し始める。これにより、流路１０内は再度混ガス状態となり、伝搬時間は時間Ｂから時間Ａに変化していく。その後、時刻ｔ３６になると流路１０内には１３Ａガスのみが流れる状態となり、伝搬時間は時間Ａ付近で安定する。この時刻ｔ３６以降においては、ガスメータＧＭから空気が抜けたことが確実となり、エアパージが完了したこととなる。
【００２９】
ここで、本実施形態に係るパージ判定装置１は、伝搬時間の最大値と最小値とを記憶するようになっている。より具体的にパージ判定装置１のμＣＯＭ５０は、２秒毎に１回の計測を行い、この計測の複数回分の移動平均値について最大値と最小値とを記憶することが好ましい。これにより、ノイズを抑えることができるためである。そして、判定部５２は、例えば、最大値と最小値との差分が予め定められたパージ判定値を超えた時点で、ガス種が変化したと判断する。なお、判定部５２は、最大値と最小値との差分が予め定められたパージ判定値を超えた時点のみならず、超えた時点から所定時間後に、ガス種が変化したと判断してもよい。
【００３０】
図３に沿って説明すると、まず時刻０〜ｔ３１においては、伝搬時間が時間Ａで安定していることから、伝搬時間の最大値と最小値とは時間Ａ付近となる。次いで、時刻ｔ３１以降となると混ガス状態となることから、伝搬時間の最大値が順次更新されていく。そして、例えば時刻ｔ３１と時刻ｔ３３との間の時刻ｔ３２において、最大値と最小値との差分がパージ判定値を超える。これにより、判定部５２は、ガス種が切り替わったと判断する。
【００３１】
なお、判定部５２によりガス種が切り替わったと判断されると、μＣＯＭ５０は、記憶した最大値と最小値とをリセットする。ここで、時刻ｔ３２における伝搬時間を時間Ｃとすると、時刻ｔ３２〜ｔ３３において最小値は時間Ｃ付近となる。一方、時刻ｔ３３において伝搬時間が時間Ｂとなることから、最大値は時間Ｂ付近となる。
【００３２】
その後、時刻ｔ３４まで、最大値が時間Ｂ付近であり、最小値が時間Ｃ付近である状態を維持する。そして、時刻ｔ３４以降となると混ガス状態となることから、伝搬時間の最小値が更新されていく。そして、例えば時刻ｔ３４と時刻ｔ３６との間の時刻ｔ３５において、最大値と最小値との差分がパージ判定値を超える。これにより、判定部５２は、ガス種が切り替わったと判断する。
【００３３】
なお、１３Ａガスと空気との６５℃における音速差は６６ｍ／ｓであり、−３０℃における音速差は５６ｍ／ｓである。ゆえに、本実施形態に係るパージ判定装置１においては、パージ判定値を例えば５０ｍ／ｓ程度を反映した時間に設定することが好ましい。
【００３４】
次に、第２の手法を説明する。第２の手法においては増幅度と圧力とに基づいてガス種の切り替わりを判定する。図４は、第２の手法を説明するための概念図である。図４に示す例においてはパージ判定装置１の流路１０内の状態が、空気で満たされた状態、混ガス状態、１３Ａガスで満たされた状態、真空状態、及び１３Ａガスで満たされた状態の順で変化した場合を示している。
【００３５】
まず、時刻０〜ｔ４１においては流路１０内に１３Ａガスが流れている。このとき、増幅度は値ＤＧとなり、圧力はＤＰとなる。次に、時刻ｔ４１において流路１０内に空気が流入し始める。これにより、流路１０内は混ガス状態となる。混ガス状態となると、超音波信号は反射・屈折を繰り返して減衰した状態で受信される。このため、増幅度は大きくなる傾向にあり、例えば時刻ｔ４２において最大増幅度ＥＧに達する。
【００３６】
時刻ｔ４２以降においては、流路１０内の気体については空気の占める割合が大きくなっていき、増幅度は、最大増幅度ＥＧから次第に低下していく。そして、時刻ｔ４３において増幅度は値ＦＧを示す。そして、時刻ｔ４３になると流路１０内には空気のみが流れる状態となり、増幅度は値ＦＧ付近で安定する。なお、この間において、圧力は値ＤＰを維持している。
【００３７】
次に、時刻ｔ４４において、例えばパージ判定装置１の上流側のバルブが閉じられたとする。この場合、ガスメータＧＭ側からの気体の流入がなくなる一方で、ガス回収容器２からは気体が引き込まれる。よって、流路１０内は真空に近づいていく。超音波信号は真空状態において減衰する傾向があることから、時刻ｔ４５において例えば増幅度は最大増幅度ＥＧに達する。
【００３８】
その後、時刻ｔ４５においてパージ判定装置１の上流側のバルブが開けられて１３Ａガスが流入してきたとすると、増幅度は最大増幅度ＥＧから次第に低下していき、流路１０内が１３Ａガスで満たされる時刻ｔ４６になると、値ＤＧで安定する。なお、時刻ｔ４４〜ｔ４６においては流路１０内が真空状態に近づいていることから、圧力は値ＤＰよりも低下した値ＥＰ等を示す状態となる。
【００３９】
ここで、本実施形態に係るパージ判定装置１の判定部５２は、増幅度と圧力とを監視しており、例えば増幅度が所定増幅度ＴＨＧ以上であり、且つ、圧力が所定圧力ＴＨＰ以上である状態が検出された時点で、ガス種が変化したと判断する。なお、判定部５２は、増幅度が所定増幅度ＴＨＧ以上であり、且つ、圧力が所定圧力ＴＨＰ以上である状態が検出された時点のみならず、検出された時点から所定時間後に、ガス種が変化したと判断してもよい。なお、所定増幅度ＴＨＧは図４に示す例において値ＤＧよりも高く値ＥＧ未満に設定されており、所定圧力ＴＨＰは値ＥＰよりも高く値ＤＰ未満に設定されている。
【００４０】
図４に沿って説明すると、まず時刻０〜ｔ４１において判定部５２は、圧力は所定圧力ＴＨＰ以上であるものの、増幅度は所定増幅度ＴＨＧ未満であることから、ガス種が変化していないと判断する。そして、時刻ｔ４１〜ｔ４３においては増幅度が時刻ｔ４２において最大増幅度ＥＧに達すると共に、圧力については値ＤＰを維持することから、判定部５２は、ガス種が変化したと判断する。
【００４１】
その後、時刻ｔ４４〜ｔ４６においては増幅度が時刻ｔ４５において最大増幅度ＥＧに達する。しかし、圧力については値ＥＰまで低下することから、判定部５２は、ガス種が変化していない（真空状態である）と判断する。
【００４２】
本実施形態に係るパージ判定装置１は、上記のような第１及び第２の手法によって、ガス種の切り替わりを判定し、この切り替わりに基づいてパージ完了を判定する。具体的にパージ判定装置１の判定部５２は、例えばガス種の切り替わりを２回判定した場合に、パージ完了であると判定する。また、判定部５２は、例えば流路１０内において気体の流れを検出してから規定時間（例えば１回目の切り替わり後となる時間）の経過後に、ガス種の切り替わりを判定した場合に、パージ完了であると判定してもよい。さらに、判定部５２は、ガス種が切り替わったと判定したときに、伝搬時間が長くなったか短くなったかに基づいて、パージ完了を判断してもよい。
【００４３】
次に、本実施形態に係るパージ判定装置１の制御方法を説明する。図５は、本実施形態に係るパージ判定装置１の制御方法を示すフローチャートである。
【００４４】
まず、計測部５１は伝搬時間を計測する（Ｓ１）。次いで、μＣＯＭ５０は、ステップＳ１において計測された伝搬時間（好ましくは複数回の移動平均）が、記憶されている最大値を超えたかを判断する（Ｓ２）。伝搬時間（好ましくは複数回の移動平均）が、記憶されている最大値を超えた場合（Ｓ２：ＹＥＳ）、μＣＯＭ５０は、最大値を更新する（Ｓ３）。そして、処理はステップＳ６に移行する。
【００４５】
伝搬時間（好ましくは複数回の移動平均）が、記憶されている最大値を超えていない場合（Ｓ２：ＮＯ）、μＣＯＭ５０は、ステップＳ１において計測された伝搬時間（好ましくは複数回の移動平均）が、記憶されている最小値を下回ったかを判断する（Ｓ４）。伝搬時間（好ましくは複数回の移動平均）が、記憶されている最小値を下回った場合（Ｓ４：ＹＥＳ）、μＣＯＭ５０は、最小値を更新する（Ｓ５）。そして、処理はステップＳ６に移行する。
【００４６】
伝搬時間（好ましくは複数回の移動平均）が、記憶されている最小値を下回っていない場合（Ｓ４：ＮＯ）、μＣＯＭ５０は、最大値も最小値も更新することなく、処理はステップＳ６に移行する。
【００４７】
ステップＳ６において判定部５２は、記憶している最大値と最小値との差分がパージ判定値を超えるかを判断する（Ｓ６）。差分がパージ判定値を超える場合（Ｓ６：ＹＥＳ）、判定部５２は、ガス種の切り替わりを判定する（Ｓ７）。なお、ステップＳ７の処理において判定部５２は、ステップＳ６において「ＹＥＳ」と判断された時点やその時点から所定時間後に、ガス種が切り替わったと判定する。
【００４８】
一方、差分がパージ判定値を超えない場合（Ｓ６：ＮＯ）、判定部５２は、増幅器４１の増幅度が所定増幅度ＴＨＧ以上であるかを判断する（Ｓ９）。増幅度が所定増幅度ＴＨＧ以上でない場合（Ｓ９：ＮＯ）、図５に示す処理は終了する。
【００４９】
増幅度が所定増幅度ＴＨＧ以上である場合（Ｓ９：ＹＥＳ）、圧力検出部５３は圧力を検出し（Ｓ１０）、判定部５２は、ステップＳ１０において検出した圧力が所定圧力ＴＨＰ以上であるかを判断する（Ｓ１１）。圧力が所定圧力ＴＨＰ以上でない場合（Ｓ１１：ＮＯ）、判定部５２は真空状態であると判定し、図５に示す処理は終了する。
【００５０】
一方、圧力が所定圧力ＴＨＰ以上である場合（Ｓ１１：ＹＥＳ）、判定部５２は、ガス種の切り替わりを判定する（Ｓ７）。
【００５１】
ステップＳ７の後、μＣＯＭ５０は、記憶している最大値及び最小値をリセットする（Ｓ８）。その後、図５に示す処理は終了する。
【００５２】
このようにして、本実施形態に係るパージ判定装置１及びその制御方法によれば、最大の伝搬時間と最小の伝搬時間との差分がパージ判定値を超えたことに基づいて、ガス種の切り替わりを判定する。ここで、第１のガス（本実施形態において１３Ａガス）がパージ判定装置１の流路１０を流れている状態と、第２のガス（本実施形態において空気）がパージ判定装置１の流路１０を流れている状態とでは伝搬時間が変化し、最大の伝搬時間と最小の伝搬時間との差分は大きくなる傾向にある。よって、差分がパージ判定値を超えるか否かを判断することで、ガス種の切り替わりを判定することができる。しかも、差分に基づいて判断することにより、温度に影響を受ける伝搬時間の値自体で判定することとならず、温度による影響をキャンセルしてガス種の切り替わりを判断することができる。加えて、超音波センサ２０による伝搬時間に基づいて判断することから、半導体センサのような運用コストの高騰を抑えることができる。従って、運用コストの低下を図りつつも、ガス種の切り替わりをより精度良く判定することができる。
【００５３】
また、増幅度が所定増幅度ＴＨＧ以上であり、且つ検出された圧力が所定圧力ＴＨＰ以上である状態が検出されたことに基づいて、ガス種の切り替わりを判定する。ここで、増幅度については、混ガス状態や真空状態において増加する傾向にある。また、圧力が所定圧力以上である場合には、少なくとも真空状態でないと判断することができる。よって、増幅度が所定増幅度ＴＨＧ以上であり、且つ、圧力が所定圧力ＴＨＰ以上である状態とは、混ガス状態であるといえ、混ガス状態が明らかとなればガス種の切り替わりも判断できることから、より一層ガス種の切り替わりをより精度良く判定することができる。
【００５４】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００５５】
例えば本実施形態に係るパージ判定装置１は１３Ａガスと空気との切り替わりを判定しているが、これに限らず、対象ガスは他のガスであってもよい。加えて、パージ判定装置１は、ガス回収容器２に接続されていなくともよい。さらには、パージ判定装置１は、上記の第１の手法のみ又は第２の手法のみを実施するものであってもよい。
【符号の説明】
【００５６】
１      ：パージ判定装置
１０    ：流路
２０    ：超音波センサ
４１    ：増幅器（増幅手段）
５１    ：計測部（計測手段）
５２    ：判定部（判定手段）
５３    ：圧力検出部（圧力検出手段）
ＧＭ    ：ガスメータ
ＧＭ２  ：ガス流出口
ＴＨＰ  ：所定圧力
ＴＨＧ  ：所定増幅度
【図１】
2020063932.tif 000003
【図２】
2020063932.tif 000004
【図３】
2020063932.tif 000005
【図４】
2020063932.tif 000006
【図５】
2020063932.tif 000007